(57)【要約】【課題】  操作メニューおよびサブメニューの正確な選択・確定が容易であり、操作時間を短縮して操作能率を向上させることができるとともに、操作エラーの発生を抑制することで信頼性を高めることができる生産設備のコントローラを提供する。【解決手段】  アイコン（操作メニュー）２Ａ〜２Ｉが数字により特定されて表示部１１０に表示されると、この表示された数字に該当する数字を備えた選択・確定キー１１２を押すことで、所定の操作メニュー２Ａ〜２Ｉを瞬時に選択して確定する。また、選択・確定キー１３１は、確定された操作メニュー２Ａ〜２Ｉが細分化して表示されたサブメニュー１１５〜１１８を特定する数字を選択して数字合わせにより確定することが可能である。【選択図】        図１
2007087230.tif 000002
【特許請求の範囲】
【請求項１】
生産設備の操作メニューが表示される表示部を備えた生産設備のコントローラにおいて、
前記表示部に表示された操作メニューは、数字、文字または図形によって特定され、この特定された数字、文字または図形を選択して数字、文字または図形合わせにより確定する選択・確定キーを備えていることを特徴とする生産設備のコントローラ。
【請求項２】
請求項１に記載の生産設備のコントローラにおいて、
前記選択・確定キーは、前記確定された操作メニューが細分化して表示されたサブメニューを特定する数字、文字または図形を選択して数字、文字または図形合わせにより確定することが可能であることを特徴とする生産設備のコントローラ。
【請求項３】
請求項１または請求項２に記載の生産設備のコントローラにおいて、
前記表示部に表示された操作メニューをスクロールして表示するスクロールキーを備えていることを特徴とする生産設備のコントローラ。
【請求項４】
請求項１、請求項２または請求項３に記載の生産設備のコントローラにおいて、
前記生産設備は、成形品取出機であることを特徴とする生産設備のコントローラ。
【発明の詳細な説明】
【技術分野】
【０００１】
本発明は、生産設備のコントローラに係り、たとえば、樹脂成形機によって成形された成形品やスプールなどを型開した金型から取出す成形品取出機の動作制御に好適な生産設備のコントローラに関するものである。
【背景技術】
【０００２】
従来、樹脂成形機によって成形された成形品やスプールなどを型開した金型から取出す成形品取出機の動作制御は、図１０に示すコントローラによって行われている。
【０００３】
図１０、図１１において、コントローラ１００は、複数個（たとえば９個）のアイコン２Ａ〜２Ｉを、生産設備の操作メニューとして表示する液晶表示部１１０（以下では表示部１１０という）と、４方向走査を行う４つの走査キー１１１Ａ〜１１１Ｄを周囲に配置し、その中心部にエンターキー（確定キー）１１１Ｅを配置したスクロールキー１１１と、０〜９の数字を表示した１０個の数字キー１１２とを備え、表示部１１０には９個のアイコン２Ａ〜２Ｉを各別に取り囲む表示枠１０１〜１０９が表示されている。なお、図中１１３は非常停止ボタンを示し、２００は電源スイッチを示しコントローラの底面の凹箇所に位置している。
【０００４】
前記コントローラ１００において、電源スイッチ２００をＯＮすると、９個のアイコン２Ａ〜２Ｉが生産設備の操作メニューとして表示部１１０の９個の表示枠１０１〜１０９内に振り分けて表示される。そして、図１１に示すように、カーソル１１４は、クロス斜線で示すように表示枠１０７にあって、アイコン２Ｇを特定している。
【０００５】
この状態で確定キー１１１Ｅを押すと、操作メニューとしてアイコン２Ｇが選択・確定され、表示部１１０には、図１２に示すように、アイコン２Ｇに相当する操作メニューを細分化した複数のサブメニュー１１５〜１１８が表示され、クロス斜線で示すカーソル１１４は、サブメニュー１１８を特定している。この状態で確定キー１１１Ｅを押すと、サブメニュー１１８が選択・確定されることになり、このサブメニュー１１８に基づいて生産設備をコントロールすることができる。
【０００６】
一方、図１１において、今、操作メニューとして表示枠１０３内に表示されているアイコン２Ｃを選択・確定したい場合には、たとえば、図１０に示すスクロールキー１１１の走査キー１１１Ｂを押して、図１１の表示枠１０７にあるカーソル１１４を矢印ａで示すように表示枠１０１まで移動させたのちに、図１０に示すスクロールキー１１１の走査キー１１１Ｄを押して図１１の表示枠１０１にあるカーソル１１４を矢印ｂで示すように表示枠１０３まで移動させ、ここで、確定キー１１１Ｅを押すことによって、操作メニューとしてアイコン２Ｃが選択・確定され、表示部１１０には、図１３に示すように、アイコン２Ｃに相当する操作メニューを細分化した複数のサブメニュー１１９〜１２２が表示され、クロス斜線で示すカーソル１１４は、サブメニュー１２２を特定している。この状態で確定キー１１１Ｅを押すと、サブメニュー１２２が選択・確定されることになり、このサブメニュー１２２に基づいて生産設備をコントロールすることができる。
【０００７】
他方、図１２に示す複数のサブメニュー１１５〜１１８において、サブメニュー１１８以外のサブメニュー１１５、１１６、１１７を選択・確定する場合には、図１０に示すスクロールキー１１１の走査キー１１１Ｂを押して、サブメニュー１１８にあるカーソル１１４をサブメニュー１１５、１１６、１１７のいずれかの位置に移動させ、ここで、確定キー１１１Ｅを押すことによって、サブメニュー１１５、１１６、１１７のいずれかが選択・確定されることになって、選択・確定されたサブメニュー１１５、１１６、１１７のいずれかに基づいて生産設備をコントロールすることができる。また、図１３に示す複数のサブメニュー１１９〜１２２において、サブメニュー１２２以外のサブメニュー１１９、１２０、１２１を選択・確定する場合には、図１０に示すスクロールキー１１１の走査キー１１１Ｂを押して、サブメニュー１２２にあるカーソル１１４をサブメニュー１１９、１２０、１２１のいずれかの位置に移動させ、ここで、確定キー１１１Ｅを押すことによって、選択・確定されたサブメニュー１１９、１２０、１２１のいずれかに基づいて生産設備をコントロールすることができる。
【０００８】
【特許文献１】特になし
【発明の開示】
【発明が解決しようとする課題】
【０００９】
前記従来のコントローラでは、複数個のアイコン２Ａ〜２Ｉを生産設備の操作メニューとして表示部１１０に表示したときに、カーソル１１４が特定している表示枠１０７内のアイコン２Ｇを選択・確定する場合は、単に確定キー１１１Ｅを押すだけでよい。ところが、カーソル１１４が特定していない他のアイコン２Ａ〜２Ｆおよび２Ｈ，２Ｉを選択・確定するには、走査キー１１１Ａ〜１１１Ｄの押圧によってカーソル１１４を移動させる煩雑な操作が必要である欠点を有している。また、操作メニューを細分化したサブメニューが表示されたときに、カーソル１１４が特定しているサブメニュー１１８または１２２を選択・確定する場合は、単に確定キー１１１Ｅを押すだけでよい。ところが、カーソル１１４が特定していない他のサブメニュー１１５〜１１７または１１９〜１２１を選択・確定するには、走査キー１１１Ｂの押圧によってカーソル１１４を移動させる煩雑な操作が必要である欠点を有している。
【００１０】
このように、操作メニューおよびサブメニューの選択・確定が煩雑であると、操作時間が長くなって操作能率を低下させるばかりか、操作エラーが発生しやすくなるのでコントローラの信頼性を損なうことになる。
【００１１】
本発明は、このような問題を解決するものであって、その目的とするところは、操作メニューおよびサブメニューの正確な選択・確定が容易であり、操作時間を短縮して操作能率を向上させることができるとともに、操作エラーの発生を抑制することで信頼性を高めることができる生産設備のコントローラを提供するものである。
【課題を解決するための手段】
【００１２】
本発明は、生産設備の操作メニューが表示される表示部を備えた生産設備のコントローラにおいて、前記表示部に表示された操作メニューは、数字、文字または図形によって特定され、この特定された数字、文字または図形を選択して数字、文字または図形合わせにより確定する選択・確定キーを備えていることを特徴とするものである。
【００１３】
これによれば、操作メニューが数字、文字または図形により特定されて表示部に表示されると、この表示された数字、文字または図形に該当する数字、文字または図形を備えた選択・確定キーを押すことで、所定の操作メニューを瞬時に選択して確定することができる。
【００１４】
また、前記選択・確定キーは、前記確定された操作メニューが細分化して表示されたサブメニューを特定する数字、文字または図形を選択して数字、文字または図形合わせにより確定することが可能であることを特徴とするものである。これによれば、サブメニューが数字、文字または図形によって識別して表示部に表示されると、この表示された数字、文字または図形に該当する数字、文字または図形を備えた選択・確定キーを押すことで、所定のサブメニューを瞬時に選択して確定することができる。
【００１５】
さらに、本発明は、前記表示部に表示された操作メニューをスクロールして表示するスクロールキーを備えていることを特徴とするものである。これによれば、表示部に操作メニューが表示されている状態で、スクロールキーを操作することによって、表示部に表示されている前記の操作メニューの表示パターンを変更することができる。また、表示部にサブメニューが表示されている状態で、スクロールキーを操作することによって、所定のサブメニューを選択・確定することもできる。
【００１６】
また、前記生産設備は、成形品取出機であることが望ましい。これによれば、成形品取出機のコントロールを迅速、容易かつ正確に行うことができる。
【発明の効果】
【００１７】
本発明によれば、操作メニューが数字、文字または図形により特定されて表示部に表示されると、この表示された数字、文字または図形に該当する数字、文字または図形を備えた選択・確定キーを押すことで、所定の操作メニューを瞬時に選択して確定することができるので、操作時間を短縮して操作能率を向上させることができるとともに、操作エラーの発生を抑制して、信頼性を高めることができる。
【発明を実施するための最良の形態】
【００１８】
図１は本発明に係る生産設備のコントローラの実施形態を示す正面図、図２は本発明に係る生産設備のコントローラの電気的構成の実施形態を示すブロック図である。なお、前記従来例と同一もしくは相当部分には同一符号を付して説明する。
【００１９】
図１のコントローラ１００は、生産設備である成形品取出機のコントロールに好適なもので、複数個（たとえば９個）のアイコン２Ａ〜２Ｉを、成形品取出機の操作メニューとして表示する表示部１１０と、０〜９の数字を表示した１０個の数字キー１１２と、４方向走査を行う４つの走査キー１１１Ａ〜１１１Ｄを周囲に配置し、その中心部に確定キー１１１Ｅを配置したスクロールキー１１１とを備え、表示部１１０には９個のアイコン２Ａ〜２Ｉを各別に取り囲む表示枠１０１〜１０９が表示される。そして、表示枠１０１〜１０９には、該表示枠１０１〜１０９によって各別に取り囲まれて表示されたアイコン２Ａ〜２Ｉを特定する数字（１）〜（９）(図５参照)が表示される。図中２００は電源スイッチを示し、１３１は操作項目選択・確定キーを示す。操作項目選択・確定キー１３１は、操作メニューを成形品取出機の操作項目毎に仕分けて表示部１１０に表示するもので、モニターキー１３１Ａ、ティ−チングキー１３１Ｂ、金型読出キー１３１Ｃおよびメニューキー１３１Ｄなどを備えている。
【００２０】
コントローラ１００は、図２に示す中央処理装置（ＣＰＵ）１２３を内蔵している。中央処理装置（ＣＰＵ）１２３は、表示処理部１２４、キー入力部１２５、キー判定部１２６、演算処理部１２７、アイコン項目（現在のスクロール状態判断部）１２８、入出力部１２９を備える。また、１１０は表示部、１１２は数字キー（選択・確定キー）、１３１はメニュー選択キー、１１１Ａ〜１１１Ｄはスクロールキー１１１における四方向走査を行う４つの走査キー、１１１Ｅはスクロールキー１１１における確定キーで、これらは、図１に示したものと同じものである。
【００２１】
図３は動作手順を示すフローチャート、図４は中央処理装置（ＣＰＵ）１２３の制御手順を示したフローチャートである。
【００２２】
図１〜図４において、電源スイッチ２００をＯＮすると（図３、図４のステップＳ１）、表示部１１０に手動画面（図示省略）が表示される。ここで、その画面中のモニターメニューキーを押して前記手動画面をアイコン表示画面に切り替え、この表示画面に表示されている機能選択アイコンを選択することで、メニューモードとデッドマンＳＷ画面を表示し、その画面のメニューモードを選択して確定することで、画面をアイコンモードに遷移し、その画面を確定する一連の前段操作を行う。
【００２３】
前記一連の前段操作がなされると、表示部１１０には、図５に示すように、複数個（たとえば９個）のアイコン２Ａ〜２Ｉが（１）〜（９）の数字を表示した９個の表示枠１０１〜１０９に取り囲まれて成形品取出機の操作メニューとして表示される（図３、図４のステップＳ２）。図５において、数字（４）を表示した表示枠１０４内のアイコン２Ｄを所定のメニューとして選択して確定したい場合には、このアイコン２Ｄに関連する数字（４）に該当する選択確定キー１１２における４の数字キー（図１参照）を押すことで、アイコン２Ｄを所定の操作メニューとして瞬時に選択して確定することができ（図３、図４のステップＳ３）、同時に、図６に示すように、確定されたアイコン２Ｄに相当する操作メニューを細分化した、たとえば４つのサブメニュー１１５〜１１８が設定項目として表示されるとともに、これらに（１）〜（４）の数字が表示される（図３、図４のステップＳ５）。
【００２４】
４つのサブメニュー１１５〜１１８が設定項目として表示された図６において、たとえば数字（３）を表示した設定項目のサブメニュー１１７を選択・確定する場合には、このサブメニュー１１７に関連する数字（３）に該当する選択確定キー１１２における３の数字キー（図１参照）を押せばよい（図３、図４のステップＳ６）。また、４つのサブメニュー１１５〜１１８が設定項目として表示された場合には、カーソル１１４は、クロス斜線で示すように数字（４）を表示したサブメニュー１１８を特定しているので、図１に示すスクロールキー１１１の走査キー１１１Ｂを押して、図６のサブメニュー１１８に対応しているカーソル１１４を、数字（３）を表示したサブメニュー１１７まで移動させたのちに、図１に示すスクロールキー１１１の確定キー１１１Ｅを押すことによっても選択・確定することができる。
【００２５】
図６において４つのサブメニュー１１５〜１１８のそれぞれには、数字入力スペース１３０が設けられているので、選択・確定されたサブメニュー１１７の数字入力スペース１３０に、コントロール対応数値を入力することによって（図３、図４のステップＳ７）操作が完了する。
【００２６】
一方、図３、図４のステップＳ２からステップＳ３に進んだときに、成形品取出機の操作メニューとして所望するアイコンが図５に示す９個のアイコン２Ａ〜２Ｉに含まれていない場合には、たとえば図７において破線で示す隠れたアイコン２Ｊ〜２Ｔを表示部１１０に移動させて表示する必要がある。今、所望するアイコンが、たとえば２Ｋであるとすると、図１に示すスクロールキー１１１の走査キー１１１Ｂを押して、図７で既に表示されている９個のアイコン２Ａ〜２Ｉからなる操作メニューを下方へスクロールして、図８に示すように、所望するアイコン２Ｋを表示部１１０の表示枠１０２に表示し、所望するアイコン２Ｋに関連する数字（２）に該当する選択確定キー１１２における２の数字キー（図１参照）を押すことで、アイコン２Ｋを所定の操作メニューとして瞬時に選択して確定することができ（図３、図４のステップＳ４）、それ以後は、前述と同様に、図３、図４のステップＳ４→図３、図４のステップＳ５→ステップＳ６→ステップＳ７へと順次進んで操作が完了する。
【００２７】
なお、図７において、所望するアイコンが、たとえば２Ｓであるとすると、図１に示すスクロールキー１１１の走査キー１１１Ｄを押して、図７で既に表示されている９個のアイコン２Ａ〜２Ｉからなる操作メニューを右側へスクロールして、図９に示すように、所望するアイコン２Ｓを表示部１１０の表示枠１０２に表示し、所望するアイコン２Ｓに関連する数字（６）に該当する選択確定キー１１２における６の数字キー（図１参照）を押すことで、アイコン２Ｓを所定の操作メニューとして瞬時に選択して確定することができ（図３、図４のステップＳ４）、それ以後は、前述と同様に、図３、図４のステップＳ４→図３、図４のステップＳ５→ステップＳ６→ステップＳ７へと順次進んで操作が完了する。
【００２８】
このように、本発明に係るコントローラ１００は、所定の操作メニューおよび所定のサブメニューを瞬時に選択して確定することのできるので、生産設備としての成形品取出機に適用すると、成形品取出機に必須の数多い操作メニューやサブメニューなどの選択・確定操作を迅速、容易かつ正確に行うことができる。したがって、操作時間を短縮して操作能率を向上させることができるとともに、操作エラーの発生を抑制して、信頼性を高めることができる。
【００２９】
なお、アイコン２Ａ〜２Ｉを数字（１）〜（９）によって特定し、この数字（１）〜（９）と選択確定キー１１２に表示した数字０〜９との数字合わせによって、表示部１１０に表示された操作メニューの内の１つを選択・確定したり、サブメニュー１１５〜１１８を数字（１）〜（４）によって特定し、この数字（１）〜（４）と選択確定キー１１２に表示した数字０〜４との数字合わせによって、表示部１１０に表示されたサブメニュー１１５〜１２１の内の１つを選択・確定しているが、数字に代えて文字または図形を使用して、文字または図形合わせによって表示部１１０に表示された操作メニューの内の１つを選択・確定したり、表示部１１０に表示されたサブメニュー１１５〜１１８の内の１つを選択・確定してもよい。
【図面の簡単な説明】
【００３０】
【図１】本発明に係る生産設備のコントローラの実施形態を示す正面図である。
【図２】本発明に係る生産設備のコントローラの電気的構成の実施形態を示すブロック図である。
【図３】動作手順を示すフローチャートである。
【図４】中央処理装置（ＣＰＵ）の制御手順を示したフローチャートである。
【図５】表示部に表示された操作メニューの実施形態を示す説明図である。
【図６】サブメニュー表示の実施形態を示す説明図である。
【図７】スクロールした操作メニューの第１実施形態を示す説明図である。
【図８】スクロールした操作メニューの第２実施形態を示す説明図である。
【図９】スクロールした操作メニューの第３実施形態を示す説明図である。
【図１０】コントローラの従来例を示す正面図である。
【図１１】図１０の表示部に表示された操作メニューの一例を示す説明図である。
【図１２】サブメニュー表示の一例を示す説明図である。
【図１３】サブメニュー表示の他の例を示す説明図である。
【符号の説明】
【００３１】
１００  コントローラ
１０２  表示部
１１１  スクロールキー
１１２  数字キー（確定キー）
１１５〜１１８  サブメニュー
２Ａ〜２Ｉ  アイコン（操作メニュー）
【図１】
2007087230.tif 000003
【図２】
2007087230.tif 000004
【図３】
2007087230.tif 000005
【図４】
2007087230.tif 000006
【図５】
2007087230.tif 000007
【図６】
2007087230.tif 000008
【図７】
2007087230.tif 000009
【図８】
2007087230.tif 000010
【図９】
2007087230.tif 000011
【図１０】
2007087230.tif 000012
【図１１】
2007087230.tif 000013
【図１２】
2007087230.tif 000014
【図１３】
2007087230.tif 000015